(57)【要約】【目的】床面への設置作業が容易な二重床のスロープ体の提供を目的とする。【構成】二重床床面Ｃと二重床非設置床面Ｂとの間の段差間に掛け渡される二重床２のスロープ体Ａであって、スロープ部１の前端から下方に垂下されて二重床２辺縁に当接する当接片３の下端から後方に延びる固定片４を有し、固定片４には、二重床非設置床面Ｂへの固定部５が設けられるとともに、スロープ部１には、上記固定部５を透視可能な透孔６が開設される。【選択図】　図１
2004019405.tif 000002
【特許請求の範囲】
【請求項１】
二重床床面と二重床非設置床面との間の段差間に掛け渡される二重床のスロープ体であって、
スロープ部の前端から下方に垂下されて二重床辺縁に当接する当接片の下端から後方に延びる固定片を有し、
固定片には、二重床非設置床面への固定部が設けられるとともに、スロープ部には、上記固定部を透視可能な透孔が開設される二重床のスロープ体。
【請求項２】
前記固定部が当接片下端に開設される頭部挿通開口に連通する切欠である請求項１記載の二重床のスロープ体。
【請求項３】
前記固定片は金属製板材からなるスロープ部の前端を折り曲げて形成されるとともに、
スロープ部の裏面には、下端が二重床非設置床面に達しない高さの脚片が下方に垂下され、スロープ部の幅方向に長寸の補強体が固定される請求項１または２記載の二重床のスロープ体。
【請求項４】
前記脚片の先端には衝撃吸収体が装着される請求項３記載の二重床のスロープ体。
【発明の詳細な説明】
【０００１】
【発明の属する技術分野】
本発明は、二重床のスロープ体に関するものである。
【０００２】
【従来の技術】
既設の床面を床下配線等が可能な二重床に変更する際には、既設床面上に二重床装置を敷設、固定することが行われ、この場合、既設床面と新たに敷設された二重床面との間の段差を解消する必要がある。
【０００３】
そして、従来、このような段差解消のために使用されるスロープ体としては、特開平５−１５６７０１号公報の図４に示されたものが知られている。
【０００４】
この従来例において、スロープ体は、金属板材を折曲したスロープ主体の裏面に補強板を接合して形成されるもので、比較的簡単な構造を有するという利点を有するものの、床面等への設置に際しては、スロープ部が邪魔になるために、設置作業性が悪いという問題がある。
【０００５】
【発明が解決しようとする課題】
本発明は、以上の欠点を解消すべくなされたものであって、床面への設置作業が容易な二重床のスロープ体の提供を目的とする。
【０００６】
【課題を解決するための手段】
本発明によれば上記目的は、
二重床床面Ｃと二重床非設置床面Ｂとの間の段差間に掛け渡される二重床２のスロープ体Ａであって、
スロープ部１の前端から下方に垂下されて二重床２辺縁に当接する当接片３の下端から後方に延びる固定片４を有し、
固定片４には、二重床非設置床面Ｂへの固定部５が設けられるとともに、スロープ部１には、上記固定部５を透視可能な透孔６が開設される二重床のスロープ体Ａを提供することにより達成される。
【０００７】
二重床２のスロープ体Ａは、二重床床面Ｃの高さから二重床非設置床面Ｂの高さまで徐々に傾斜して段差を解消するためのスロープ部１と、スロープ部１の前端から垂下する当接片３とを有して構成され、スロープ体Ａの設置は、まず、当接片３を二重床床面Ｃの辺縁に当接させた後、当接片３の下端に形成される固定片４を二重床非設置床面Ｂに固定して行われる。
【０００８】
したがってこの発明において、スロープ体Ａの設置は、スロープ部１に形成した透孔６から固定部５を操作することにより簡単に行うことができるために、設置作業性が向上する。
【０００９】
また、固定部５を切欠状に形成し、かつ、当接片３下端に頭部挿通開口７を開設した場合には、予め二重床非設置床面Ｂ側にアンカー等を頭部を浮かせた状態で仮止めしておき、スロープ体Ａを二重床２側にずらして頭部を切欠内に導入した後、透孔６から頭部を締め付ける作業が可能となるために、作業性がより向上する。
【００１０】
さらに、スロープ体Ａを金属製板材を折曲してスロープ部１の前端に固定片４を形成した主体部と、主体部の裏面に接合される補強体９とから構成すると、全体の構造が簡単になる。
【００１１】
【発明の実施の形態】
図１に二重床のスロープを示す。図中２は支持脚１１により床板１２を床面（二重床非設置床面Ｂ）上に適宜高さに配置して形成される二重床、Ａは二重床床面Ｃと二重床非設置床面Ｂとの間の段差を解消するためのスロープ体を示す。
【００１２】
スロープ体Ａは、図１（ｂ）に示すように、矩形の鋼板の前端縁に当接片３を折り曲げた主体部１３の裏面に補強体９を接合して形成される。当接片３の高さ寸法は二重床２の高さ寸法にほぼ一致しており、当接片３の下端は、さらに、当接片３の上端縁から後方に延びるスロープ部１の後端縁方向に折り曲げられて固定片４とされる。
【００１３】
固定片４には後述するアンカーねじ１４が挿通可能な切欠（固定部）５が形成される。図２（ｂ）（ｃ）に示すように、切欠５は固定片４の前端に向けて拡径部５ａを介して開放され、さらに、拡径部５ａは、当接片３に開設された頭部挿通開口７に連通する。
【００１４】
一方、スロープ部１には透孔６とアンカー挿通孔１５が穿孔される。透孔６は、上記切欠５の直上位置、すなわち、スロープ部１の前端縁近傍に配置され、アンカー挿通孔１５はスロープ部１の後端縁近傍に配置される。
【００１５】
補強体９は、鋼板をＣ字形状に折り曲げて一対の脚片８、８を形成した主体部１３の幅方向寸法とほぼ同一長さを有するチャンネル状部材であり、長手方向を主体部１３の幅方向に向けた状態で接着等の適宜手段で主体部１３の裏面に接合される。また、この補強体９の脚片８の高さは、図１（ｂ）、図５（ａ）に示すように、固定片４とスロープ部１の後端縁を二重床非設置床面Ｂ上に載置した状態で下端と二重非設置床面Ｂとの間に適宜の隙間が発生する程度に設定される。
【００１６】
上記スロープ体Ａの設置方法を以下に説明する。まず、スロープ体Ａの固定に先立って二重床非設置床面Ｂ上にアンカーねじ１４の固定位置をけがく。アンカーねじ１４の固定位置、すなわち、固定片４の切欠５の位置の直上に透孔６が形成されるこの実施の形態において、けがき位置の決定は、図３（ａ）に示すように、スロープ体Ａを設置領域に反転姿勢にし、透孔６を位置決め孔として利用することにより簡単に行うことができる。
【００１７】
このようにしてけがき作業が終了すると、一旦スロープ体Ａを取り除き、けがき位置にアンカーねじ１４をねじ込む。図４（ａ）に示すように、アンカーねじ１４は、頭部１４ａと二重床非設置床面Ｂとの間に少なくとも固定片４が挿通可能な程度の隙間が生じる程度に仮止めされ、この後、スロープ体Ａを装着する。スロープ体Ａの装着は、図４（ａ）に示すように、まず、当接片３を二重床２の辺縁に向けて該辺縁から適宜間隔離して配置し、次いで、図４（ａ）において矢印方向にスロープ体Ａをずらすことにより行われる。スロープ体Ａを二重床２方向にずらすことにより、アンカーねじ１４の頭部が当接片３に開設された頭部挿通開口７を通過するとともに、アンカーねじ１４の軸部１４ｂは固定片４の切欠５内を挿通してスロープ体Ａを正確な設置位置にガイドする。
【００１８】
この後、図４（ｂ）に示すように、透孔６からドライバ１６等を通過させてアンカーねじ１４の頭部１４ａを回転させることにより、アンカーねじ１４を締め付け、さらに、スロープ部１の後端縁部のアンカー挿通孔１５を利用してアンカーねじを締め付けて二重床非設置床面Ｂにスロープ体Ａを脱離不能に固定する。スロープ部１の後端縁部に固定されるアンカーねじは、スロープ部１上への頭部の突出を防止するために、皿形頭部を有するものが使用される。
【００１９】
したがってこの実施の形態において、スロープ体Ａをスケールとして利用できるために、設置位置を正確に位置決めすることが可能となり、設置作業性が向上する上に、アンカーねじ１４の頭部１４ａがスロープ部１表面に突出することがなく、スロープ部１表面を平坦面とすることができる。
【００２０】
また、スロープ体Ａは、１枚の鋼板を折り曲げて形成される主体部１３の裏面に補強体９を接合しただけの簡単な構造であるために、製造効率が高く、かつ、安価である。さらに、長手方向軸に対して直交軸周りの剛性を高めた補強体９を、長手方向が主体部１３の幅方向を向くように接合してあるので、スロープ体Ａは、当接片３の存在と相まって幅方向に直交する軸周りの剛性が効果的に高くなり、長期の使用によるゆがみの発生がない。
【００２１】
さらに、補強体９には脚片８が設けられているために、例えば、大荷重の台車１７等が通過する際には、図５（ｂ）に示すように、脚片８が荷重を負担するために、スロープ部１の有害なゆがみの発生が防止される。加えて、固定状態において、補強体９の脚片８は、二重床非設置床面Ｂから浮いた状態となっているために、二重床非設置床面Ｂに凹凸（不陸）があっても、がたつきが発生することがない。
【００２２】
なお、図６に示すように、脚片８の先端に合成樹脂材等により形成されるパッキン（衝撃吸収体１０）を固定させておくと、スロープ部１が弾性的に撓んで脚片８の下端が二重床非設置床面Ｂに衝接した際の異音の発生を防止できる。
【００２３】
【発明の効果】
以上の説明から明らかなように、本発明によれば、床面への設置作業を容易にすることができ、施工効率を向上させることができる。
【図面の簡単な説明】
【図１】本発明を示す図で、（ａ）は斜視図、（ｂ）は（ａ）の１Ｂ−１Ｂ線断面図である。
【図２】スロープ体を示す図で、（ａ）は裏面から見た斜視図、（ｂ）は（ａ）の２Ｂ方向矢視図、（ｃ）は（ａ）の２Ｃ方向矢視図である。
【図３】スロープ体の設置工程を示す図で、（ａ）はけがき工程を示す斜視図、（ｂ）はスロープ体の固定工程を示す斜視図である。
【図４】スロープ体の固定工程を示す断面図である。
【図５】脚片の作用を示す図で、（ａ）は無負荷時の状態を示す断面図、（ｂ）は負荷時の状態を示す断面図である。
【図６】図５の変形例を示す図で、（ａ）は無負荷時の状態を示す断面図、（ｂ）は負荷時の状態を示す断面図である。
【符号の説明】
１　　　　スロープ部
２　　　　二重床
３　　　　当接片
４　　　　固定片
５　　　　固定部（切欠）
６　　　　透孔
７　　　　頭部挿通開口
８　　　　脚片
９　　　　補強体
１０　　　衝撃吸収体
Ａ　　　　スロープ体
Ｂ　　　　二重床非設置床面
Ｃ　　　　二重床床面
【図１】
2004019405.tif 000003
【図２】
2004019405.tif 000004
【図３】
2004019405.tif 000005
【図４】
2004019405.tif 000006
【図５】
2004019405.tif 000007
【図６】
2004019405.tif 000008